(57)【要約】【課題】デスクトップパネルと幕板との変換が、簡易な構造で、安易に操作できるパネル作動機構を提供する。【解決手段】天板の両側部に固設する取付部材５，６と、該両取付部材５，６に基端部９，１４を回転可能に連結した支持腕９，１４と、該両支持腕９，１４の他端に、該支持腕９，１４と略直交して固設したパネル１０と、少なくとも一方の支持腕を略水平状態に保持するロック手段８，１１と、このロック状態を解除するロック解除手段１０を設け、支持腕９，１４を、その他端が前方へ向かう略水平状態にすることによりパネル１０をデスクトップパネルとし、支持腕９，１４を下動することにより幕板に変換するようにした。【選択図】        図５
2005144021.tif 000002
【特許請求の範囲】
【請求項１】
天板に固設する取付部材と、該取付部材に基端部を回転可能に連結した支持腕と、該支持腕の他端に、該支持腕と略直交して固設したパネルと、支持腕を略水平状態に保持するロック手段と、このロック状態を解除するロック解除手段を設け、支持腕の回動によりパネルをデスクトップパネルと幕板とに変換するようにしたことを特徴とするパネルの作動機構。
【請求項２】
天板の両側部に固設する取付部材と、該両取付部材に基端部を回転可能に連結した支持腕と、該両支持腕の他端に、該支持腕と略直交して固設したパネルと、少なくとも一方の支持腕を略水平状態に保持するロック手段と、このロック状態を解除するロック解除手段を設け、支持腕を、その他端が前方へ向かう略水平状態にすることによりパネルをデスクトップパネルとし、支持腕を下動することにより幕板に変換するようにしたことを特徴とするパネルの作動機構。
【請求項３】
前記両支持腕を、相互に独立してパネルに固設した請求項２記載のパネルの作動機構。
【請求項４】
前記両支持腕を、相互に一体に形成して、パネルに固設した請求項２記載のパネルの作動機構。
【請求項５】
前記支持腕を、前記取付部材の側面に沿って回動し、かつ、該側面に対して接離方向に移動可能に備え、更に、該支持腕を前記取付部材の側面へ付勢し、更に、前記ロック手段を、前記取付部材の側面と支持腕とに、支持腕を下方から略水平状態に移動することにより嵌合してその略水平状態をロックする部分を設けて構成し、前記ロック解除手段を、パネルを前記取付部材の側面と反対側へ移動することにより前記の嵌合ロック状態を解除するように構成した請求項１乃至４のいずれかに記載のパネルの作動機構。
【請求項６】
前記ロック手段を、前記支持腕に係止穴を形成し、前記取付部材の側面に、支持腕を略水平状態にした場合にその係止穴に嵌合する固定ピンを突設し、更に、前記支持腕に、該支持腕を下方から略水平状態にする際に、前記固定ピンを前記係止穴へ誘導する誘導面を形成して構成し、前記ロック解除手段を、前記パネルを前記取付部材の側面と反対側へ移動することにより支持腕の係止穴が固定ピンより離脱するようにして構成した請求項５記載のパネルの作動機構。
【請求項７】
前記ロック手段を、前記取付部材の側面に、前記支持腕を略水平状態にした際に該支持腕が嵌合する係止溝を設けて構成し、ロック解除手段を、前記パネルを前記取付部材の側面と反対側へ移動することにより支持腕を前記係止溝より離脱するようにして構成した請求項５記載のパネルの作動機構。
【請求項８】
前記パネルを、これを幕板形態にした際に、そのパネルの端面が天板の裏面に当接して幕板の位置を保持するように形成した請求項１乃至７のいずれかに記載のパネルの作動機構。
【請求項９】
前記天板が、フラップテーブルの天板である請求項１乃至８のいずれかに記載のパネルの作動機構。
【発明の詳細な説明】
【技術分野】
【０００１】
本発明は、デスクやテーブル、カウンターなどの天板に付設されて、デスクトップパネルや幕板として使用されるパネルの作動機構に関する。
【背景技術】
【０００２】
従来、前記のようなパネルにおいて、執務時においては、デスクなどの天板の前側に起立させて手元を隠すデスクトップパネルとして使用し、また、会議のデスクとして使用する場合には、そのパネルをデスクなどの前側に垂下させて足元を隠す幕板として使用するパネルが知られている。
【０００３】
このようなパネルとして、例えば、遮蔽用スクリーンを用い、これを起立させてデスクトップパネルとしたり、下方へ回動して幕板として使用するものが知られている（特許文献１参照）。
【特許文献１】特開２００２−１３６３４９号公報
【発明の開示】
【発明が解決しようとする課題】
【０００４】
本発明は、前記従来の構造に比べて、構造及び操作が簡易で、パネルを、デスクトップパネルとして用いたり、幕板として用いたりする用途変換が容易なパネルの作動機構を提供することを目的とするものである。
【課題を解決するための手段】
【０００５】
前記の課題を解決するために、請求項１記載の発明は、天板に固設する取付部材と、該取付部材に基端部を回転可能に連結した支持腕と、該支持腕の他端に、該支持腕と略直交して固設したパネルと、支持腕を略水平状態に保持するロック手段と、このロック状態を解除するロック解除手段を設け、支持腕の回動によりパネルをデスクトップパネルと幕板とに変換するようにしたことを特徴とするものである。
【０００６】
請求項２記載の発明は、天板の両側部に固設する取付部材と、該両取付部材に基端部を回転可能に連結した支持腕と、該両支持腕の他端に、該支持腕と略直交して固設したパネルと、少なくとも一方の支持腕を略水平状態に保持するロック手段と、このロック状態を解除するロック解除手段を設け、支持腕を、その他端が前方へ向かう略水平状態にすることによりパネルをデスクトップパネルとし、支持腕を下動することにより幕板に変換するようにしたことを特徴とするものである。
【０００７】
請求項３記載の発明は、請求項２記載の発明において、前記両支持腕を、相互に独立してパネルに固設したものである。
【０００８】
請求項４記載の発明は、請求項２記載の発明において、前記両支持腕を、相互に一体に形成して、パネルに固設したものである。
【０００９】
請求項５記載の発明は、請求項１乃至４のいずれかに記載の発明において、前記取付部材の側面に沿って回動し、かつ、該側面に対して接離方向に移動可能に備え、更に、該支持腕を前記取付部材の側面へ付勢し、更に、前記ロック手段を、前記取付部材の側面と支持腕とに、支持腕を下方から略水平状態に移動することにより嵌合してその略水平状態をロックする部分を設けて構成し、前記ロック解除手段を、パネルを前記取付部材の側面と反対側へ移動することにより前記の嵌合ロック状態を解除するように構成したものである。
【００１０】
請求項６記載の発明は、請求項５記載の発明において、前記ロック手段を、前記支持腕に係止穴を形成し、前記取付部材の側面に、支持腕を略水平状態にした場合にその係止穴に嵌合する固定ピンを突設し、更に、前記支持腕に、該支持腕を下方から略水平状態にする際に、前記固定ピンを前記係止穴へ誘導する誘導面を形成して構成し、前記ロック解除手段を、前記パネルを前記取付部材の側面と反対側へ移動することにより支持腕の係止穴が固定ピンより離脱するようにして構成したものである。
【００１１】
請求項７記載の発明は、請求項５記載の発明において、前記ロック手段を、前記取付部材の側面に、前記支持腕を略水平状態にした際に該支持腕が嵌合する係止溝を設けて構成し、ロック解除手段を、前記パネルを前記取付部材の側面と反対側へ移動することにより支持腕を前記係止溝より離脱するようにして構成したものである。
【００１２】
請求項８記載の発明は、請求項１乃至７のいずれかに記載の発明において、前記パネルを、これを幕板形態にした際に、そのパネルの端面が天板の裏面に当接して幕板の位置を保持するように形成したものである。
【００１３】
請求項９記載の発明は、請求項１乃至８のいずれかに記載の発明において、前記天板をフラップテーブルとしたものである。
【発明の効果】
【００１４】
請求項１乃至４記載の発明によれば、パネルに支持腕を直交的に固設してこの支持腕の回動によりパネルをデスクトップパネルと幕板とに変換できるため、従来構造に比べて部品点数が少なく安価に構成できる。
【００１５】
請求項５記載の発明によれば、パネルを幕板形態からデスクトップパネル形態にする場合には、パネルを所定位置まで上方へ回動することにより、そのデスクトップパネル形態が自動的にロックして保持される。また、デスクトップパネル形態から幕板形態にする場合には、パネルを横方向に移動させることにより、パネルに固定された支持腕も移動し、前記のロック状態が解除され、そのパネルを下動することにより幕板形態にできる。このとき、ロックの解除は、パネルのどの位置を持って移動しても行えるため至便である。
【００１６】
更に、１枚のパネルが、左右の両支持腕の連動機構を兼用するため、従来のように、パネルとは別に、左右の部品をロッドなどで連動する連動機構を設けるものに比べて、部品点数を大幅に削減でき、安価な製品を供給できる。
したがって、デスクトップパネル付きテーブル等と幕板付きテーブル等への用途変換が簡易な構造で、かつ容易な操作で行える。
【００１７】
請求項６および７記載の発明においても前記請求項５と同様の作用、効果を発揮できる。
請求項８記載の発明によれば、パネルを幕板形態にした場合に、そのパネルの前後のガタつきを防止できる。
【００１８】
請求項９記載の発明によれば、更に、天板を、前側が下方へ傾斜するように回転して折り畳むフラップテーブルの天板にパネルを付設した場合には、パネルは、幕板形態から前方への回動が可能であるため、その天板を折り畳む際に、パネルも天板の傾斜に沿って自然に折り畳まれるため、パネルがフラップテーブルの収納に支障とならない上に、パネルの位置決めを解除するような特別な操作なしでパネルを収納することができる。
【発明を実施するための最良の形態】
【００１９】
本発明を実施するための最良の形態を図に示す実施例に基づいて説明する。
【実施例１】
【００２０】
図１乃至図１０は本発明をフラップテーブルに適用した第１実施例を示し、図１は前面図、図２は図１の右側面図、図３は図２における作動機構部の拡大図、図４は天板を折り畳んだ状態の側面図である。
【００２１】
これらの図において、１は天板で、その両側の前後方向の略中央部には、支脚取付板２が固設され、該両支脚取付板２にそれぞれ前脚３と後脚４が付設されている。該両支脚３，４と両支脚取付板２は回転可能に連結され、支脚３，４に対し、天板１が、図２に示すように水平状態に保持されたり、図４に示すように、天板１を、その前側が下方へ傾斜するように回動して折り畳み状態（傾斜状態）に保持されるようになっている。
【００２２】
前記天板１の裏面における前側（着席する側と反対の側）の両側には図５及び図６に示すような取付部材５と６が固着されている。
該取付部材５，６は相互に同一形状に形成され、前側から見て、下側が開口する断面コ字状に形成され、かつ、前後方向が開口している。すなわち、上片５ａ，６ａと、該上片５ａ，６ａの両側から垂下する両側片５ｂ，５ｃ、６ｂ，６ｃが一体形成され、前側開口部５ｄ，６ｄと後側開口部５ｅ，６ｅと、下側開口部５ｆ，６ｆが形成されている。上片５ａ，６ａには取付片５ｇ，６ｇが一方向へ突出して形成され、該上片５ａ，６ａと取付片５ｇ，６ｇには取付穴５ｈ，６ｈが形成されている。
【００２３】
そして、前記の両取付部材５，６が、その取付穴５ｈ，６ｈを通じてタッピングネジにより天板１の裏面に取り付けられている。この取り付けはタッピングネジに限ることなく、適宜な取付手段を用いてもよい。このような取付構造により、この取付部材５，６をデスク、テーブル、カウンタなどの種々な家具に取り付けることができるようになっている。
【００２４】
前記一方の取付部材５の両側片５ｂ，５ｃ間には、後部に位置して支軸７が水平状態に架設されている。また、一方の側片５ｂの側面、詳しくは内側面には、前記支軸７より前側に位置して、ロック手段を構成する固定ピン８が突設されている。該固定ピン８は、図１０に示すように、その基部８ａを側片５ｂに螺着し、側片５ｂから内側面へ突出する係止部分８ｂが所定径Ｒ１で所定長Ｌ１の円筒状に形成され、該係止部分８ｂの先部に略半球状のドーム状の頭部８ｃを形成している。更に、該固定ピン８は、前記支軸７と略同一水平線上に配置されている。
【００２５】
前記一方の取付部材５内には一方の支持腕９が配置されており、該一方の支持腕９の基端部９ａが前記支軸７に、穴９ｃによって回転可能に、かつ、支軸７の軸方向に移動可能に遊嵌して備えられている。また、該一方の支持腕９の長さは、これを天板１と略並行状態で前方へ略水平に向けた場合に、その他端部９ｂが取付部材５の前側開口部５ｄから突出し、かつ、前記天板１の前端１ａから若干突出するように設定されている。
【００２６】
そして、前記一方の支持腕９の他端部９ｂの端面は、パネル１０の左右方向の一方の側部であって、かつ、パネル１０の表裏面の一方の面、すなわち、パネル１０を図１及び図３に示すように起立した状態における裏面側に、支持腕９の長手方向がパネル１０の面に略直交するようにして固着されており、該一方の支持腕９が、側面から見てパネル１０にＬ状に突設している。なお、該一方の支持腕９は金属材で形成され、パネル１０の金属製芯材に溶接などにより強固に固着されている。
【００２７】
更に、前記一方の支持腕９の中間部には、前記支軸７を中心として前記固定ピン８を通る軌跡上に位置して、すなわち支持腕９を略水平状態にした場合に、前記固定ピン８に合致する部分に位置して、ロック手段を構成する係止穴１１が、一方の支持腕９の表裏方向に貫通形成されている。該係止穴１１の直径Ｒ２は、図１０に示すように前記固定ピン８における係止部分８ｂの直径Ｒ１より若干大きく設定されて、該係止穴１１に係止部分８ｂが嵌入するようになっている。また、一方の支持腕９の板厚ｔは、前記固定ピン９における係止部分８ｂの長さＬ１よりも厚く形成されている。
【００２８】
更に、前記一方の支持腕９における前記固定ピン８と対向する側の面９ｄには、前記係止穴１１を取り囲むように凹条の案内面１２が切欠形成されている。該案内面１２には、図１０に示すように、係止穴１１より上部において、上方に至るにつれて面９ｄより反対側へ向かうテーパ面からなる誘導面１２ａが形成されている。該誘導面１２ａの上端と面９ｄとの間の寸法Ｌ２は、前記固定ピン８における係止部分８ｂの長さＬ１よりも長く設定されている。
【００２９】
したがって、図１０において、一方の支持腕９を矢印方向（上方向）Ａへ移動させることにより、その誘導面１２ａが固定ピン８の係止部分８ｂに当たり、更に矢印Ａ方向へ移動すると、固定ピン８の係止部分８ｂと頭部８ｃが誘導面１２ａを滑り、一方の支持腕９が矢印Ｂ方向に移動し、更に矢印Ａ方向に移動すると、固定ピン８が係止穴１１に位置し、固定ピン８が係止穴１１に嵌入するようになっている。すなわち、前記誘導面１２
ａを形成した案内面１２が固定ピン８の呼び込み部になっている。
【００３０】
次に他方の取付部材６について説明する。
他方の取付部材６の両側片６ｂ，６ｃ間には、後部に位置して支軸１３が水平状態に架設されている。該他方の取付部材６内には、他方の支持腕１４が配置されており、該他方の支持腕１４の基端部１４ａが、前記支軸１３に、穴１４ｃによって回転可能に、かつ、支軸１４の軸方向に移動可能に遊嵌して備えられている。また、該他方の支持腕１４の長さは前記一方の支持腕９の長さと同一である。
【００３１】
また、該他方の支持腕１４の他端部１４ｂの端面は、パネル１０の左右方向の他方の側部であって、かつ、パネル１０の表裏方向の一方の面に、前記一方の支持腕９と同様にパネル１０に固着されている。
したがって、１枚のパネルの左右の両端部に、左右の支持腕９，１４がＬ状に突出して固設されている。
他方の取付部材６には、前記他方の支持腕１４を、前記一方の取付部材５側、即ち、前記固定ピン８側へ付勢する付勢手段１５が設けられている。図の実施例においては、図６に示すように、前記支軸１３の外周に、付勢手段であるコイルスプリング１５を巻設し、その一端を側片６ｃの内面に当接し、他端を他方の支持腕１４に当接して、圧縮介在し、他方の支持腕１４を一方の取付部材５側へ常時付勢している。したがって、一方の支持腕９が、一方の取付部材５の固定ピン８を有する側面へ、また、他方の支持腕１４が取付部材６の側片６ｂの内面へ付勢されている。
【００３２】
本第１実施例の作用について説明する。
パネル１０をデスクトップパネルとして使用する形態は、図３の実線および図５、図６に示すように、パネル１０が天板１の前端部において起立状態にあり、又、該パネル１０に略直交的に固着した支持腕９，１０は略水平状態にある。又、他方の取付部材６に設けたコイルスプリング１５の付勢力により他方の支持腕１４、パネル１０を介して一方の支持腕９が固定ピン８側へ付勢され、一方の取付部材５に設けた固定ピン８は、一方の支持腕９の係止穴１１に図６に示すように嵌合している。
【００３３】
これにより、両支持腕９，１４の略水平状態が固定ピン８と係止穴１１とで保持され、パネル１０の起立状態がロックされる。
【００３４】
次に、前記の状態からパネル１０を幕板として用途変換する場合には、前記図５および図６の状態から、使用者が手動により、コイルスプリング１５の付勢力に抗して起立状態の１枚のパネル１０を、前記固定ピン８から離間する方向、すなわち、図５および図６における右方（矢印Ｃ方向）へ移動させる。この移動により、パネル１０とともに両支持腕９，１４が図６の鎖線で示す位置に移動し、一方の支持腕９の係止穴１１が固定ピン８より離脱してロック状態が解除される。したがって、パネル１０がロック解除手段となる。
【００３５】
このロック解除状態を保持してパネル１０を、手動あるいは自重を利用して下方へ回動させる。このとき、両支持腕９，１４は支軸７，１３を中心として下方へ回動する。
このようにパネル１９を所定量下方へ回動すると、図２の実線および図３の鎖線に示すように、パネル１０が支軸７，１３を中心として反転し、そのパネル１０の基部側の端面１０ａが天板１の下面に当接する。なお、パネル１０の端面１０ａは、図３の鎖線で示すように、パネル１０の下側が天板１の前方側へ傾斜した状態で、端面１０ａが天板１の裏面に当接するように、支持腕９，１４からの突出長Ｌ３が設定されている。
【００３６】
前記のように、パネル１０の端面１０ａが天板１の裏面に当接すると、この当接とパネル１０の自重により、パネル１０は図３の鎖線の状態に保持される。すなわち、図３の状態において、パネル１０の重心Ｄが支軸１３より前方に位置し、これによりパネル１０の端面１０ａが天板１の裏面に圧接し、パネル１０が前後方向にガタつくことなく、図３に示す幕板の位置（幕板状態）が保持される。
これにより、パネル１０は、図１、図２の実線のように、足元を隠す幕板に変換される。
【００３７】
次に、前記の幕板の状態から、そのパネル１０をデスクトップパネルとして使用する場合について説明する。
前記のようにパネル１０が下降して幕板として使用されている状態では、一方の支持腕９が、前記の固定ピン８の位置から外れた下方に位置し、かつ、コイルスプリング１５の付勢力によって、一方の支持腕９が一方の取付部材５における一方の側片５ｂの内面に当接し、他方の支持腕１４が他方の取付部材６における一方の側片６ｂの内面に当接している。
【００３８】
この状態から、使用者が手動でパネル１０の下部側を前側上方へ持ち上げると、両支持腕９，１４が支軸７，１３を中心として上方へ回動する。このとき、一方の支持腕９が上方へ回動すると、即ち、図１０に示す矢印Ａ方向に上動すると、該支持腕９に形成した案内面１２の誘導面１２ａが固定ピン８の係止部分８ｂに当たり、更に、支持腕９が上動すると、固定ピン８により誘導面１２ａが図１０のＢ方向に押され、その支持腕９が、コイルスプリング１５の付勢力に抗して矢印Ｂ方向へ移動される。この支持腕９が略水平状態まで上動し、その係止穴１１が固定ピン８の位置まで達すると、コイルスプリング１５の付勢力によって支持腕９が図１０の左方へ移動して係止穴１１内に固定ピン８が嵌合し、図６の実線の状態になる。これにより、パネル１０が前記のように起立してデスクトップパネルに変換され、かつ、その形態が固定ピン８と係止穴１１の嵌合によりロックされて保持される。
【００３９】
したがって、幕板の形態からデスクトップパネルへの変換は、使用者が手動で、単にパネル１０を持ち上げる操作のみで行える。
次に前記のフラップテーブルの天板１を図４に示すように折り畳む場合には、パネル１０を前記のような幕板形態にする。この状態で天板１を折り畳むと、パネル１０は前方への回動が可能であるため、天板１の回転とともにパネル１０が上部を支点として前方へ自然に回動し、天板１に略沿うように折り畳まれる。したがって、パネル１０の前記の位置の保持を解除するような特別な操作なしでパネルを折り畳み収納でき、誤動作の心配がなく、また誤動作によるパネルの損傷もない。更に、着席者が足で幕板状態のパネルを押した場合には、パネルが前側に回動するため、パネルの損傷も防止できる。
なお、前記の固定ピン８と係止穴１１からなるロック手段は、両方の取付部材５，６と両方の支持腕９，１４に設けてもよいが、実施例のように、少なくとも一方に設ければよい。
【００４０】
更に、前記第１実施例においては、両支持腕９，１４を相互に独立してパネル１０に固設したが、両支持腕９，１４を連結材で一体に形成してパネル１０に固設してもよい。更に、前記取付部材を１個のみとし、前記支持腕をパネルに１個のみ固設し、これらに前記のロック手段を設けてもよい。
【実施例２】
【００４１】
図１１及び図１２は本発明の第２実施例を示すもので、前記第１実施例における取付部材と支持腕の変形例である。
一方の取付部材２１と他方の取付部材２２は、フランジ２１ａ，２２ａと取り付け穴２１ｂ，２２ｂを介して前記天板１に前記と同様に取り付けられている。
【００４２】
一方の取付部材２１内には中空部２３が形成され、その一端側が開口されている。また、中空部２３には支持穴２４が形成されている。更に、前記開口部側の外周部には鍔部２５が形成され、その前側の一部にはロック手段である係止溝２６が形成されている。
【００４３】
該一方の取付部材２１側には、一方の支持腕２７が配置されており、該支持腕２７は、金属棒で形成され、前記穴２４に回転可能で、かつ、軸方向に移動可能に遊嵌した基部２７ａと、該基部２７ａと連続し、前記鍔部２５の側面に沿うように略直角に折曲してなる係止部２７ｂと、該係止部２７ｂと連続し、起立するように折曲した取付部２７ｃとからなる。
【００４４】
そして、前記支持腕２７の取り付け部２７ｃが前記のパネル１に強固に固着されている。
前記他方の取付部材２２も前記一方の取付部材２１と同様な構造であるため、前記と同一部分に前記と同一の符号を付してその説明を省略する。
【００４５】
また、他方の取付部材２２に配置される他方の支持腕２８の基部２８ａ、係止部２８ｂ、取付部２８ｃは前記一方の支持腕２７の基部２７ａ、係止部２７ｂ、取付部２７ｃと同様の構造であるため、その説明は省略する。
【００４６】
なお、前記他方の取付部材２２の中空部２３内には、他方の支持腕２８を前記一方の取付部材２１側へ付勢する付勢手段２９が備えられている。実施例においては、図１２に示すように付勢手段であるコイルバネ２９を、他方の支持腕２８における基部２８ａの外周に巻設し、その一端を、基部２８ａの先端に設けたバネ受け３０に係止し、他端を取付部材２８の鍔部２５側の壁３１に係止して圧縮介在し、図１１及び図１２において他方の支持腕２８を常時左方へ付勢している。
その他のパネル１０などの構造は前記第１実施例と同様である。
【００４７】
本第２実施例の作用について説明する。
パネル１０をデスクトップパネルとして使用する形態は、図１１の状態にあり、一方の支持腕２７の係止部２７ｂが一方の取付部材２１の係止溝２６に嵌合し、他方の支持腕２８の係止部２８ｂが他方の取付部材２２の係止溝２６に嵌合し、かつ、コイルスプング２９の付勢力により前記嵌合状態が保持され、パネル１０の起立形態、すなわち、デスクトップパネルとしての形態がロックされて保持される。
【００４８】
次に、前記の形態からパネル１０を幕板として用途変換する場合には前記図１１の状態から、使用者が手動により、コイルスプリング２９の付勢力に抗して起立状態の１枚のパネル１０を、矢印Ｃ方向へ移動させる。この移動により、パネル１０とともに支持腕２７，２８も同方向に移動し、その係止部２７ｂ，２８ｂが係止溝２６，２６から離脱する。したがって、前記第１実施例と同様に、パネル１０がロック解除手段を構成している。
【００４９】
次に、この状態を保持してパネル１０を，手動あるいは自重を利用して下方へ回動させる。このとき、両支持腕２７，２８は、その基部２７ａ，２８ａを中心として下方へ回動する。
【００５０】
このようにパネル１０を所定量下方へ回動すると、パネル１０は、前記第１実施例と同様に反転し、パネル１０の基端面１０ａが天板１の裏面に当接して、前記のように、その状態が保持される。また、両支持腕２７，２８の係止部２７ｂ，２８ｂは、コイルスプリング２９の付勢力により取付部材２１，２２の鍔部２５，２５に圧接される。
【００５１】
これにより、パネル１０は、足元を隠す幕板に変換される。
次に、前記の幕板の状態から、そのパネル１０をデスクトップパネルとして使用する場合について説明する。
【００５２】
前記のようにパネル１０が下降して幕板として使用されている状態では、両支持腕２７，２８の係止部２７ｂ，２８ｂは、係止溝２６，２６の位置から外れた下方の位置にある。
【００５３】
この状態から、使用者が手動でパネル１０の下部側を前側上方へ持ち上げると、両支持腕２７，２８が、その基部２７ａ，２８ａを中心として、また、係止部２７ｂ，２８ｂが鍔２５，２５に当接案内されて上方へ回動する。
【００５４】
そして、係止部２７ｂ，２８ｂが係止溝２６，２６に達すると、コイルスプリング２９の付勢力により、係止部２７ｂ，２８ｂが係止溝２６，２６内に嵌合する。これにより、パネル１０が前記のように起立してデスクトップパネルに変換され、かつ、その形態がロックされて保持される。
【００５５】
したがって、幕板の形態からデスクトップパネルへの変換は使用者が手動で、単にパネル１０を持ち上げる操作のみで行える。
なお、本第２実施例においても、ロック手段である係止溝２６は、取付部材２１，２２のうちの少なくとも一方にのみ設けてもよい。
以上のようであるから、本第２実施例においても前記第１実施例と同様の効果を発揮できる。
【００５６】
なお、前記第２実施例においては、両支持腕２７，２８を相互に独立してパネル１０に固設したが、両支持腕２７，２８を連結材で一体に形成してパネル１０に固設してもよい
。更に、前記取付部材を１個のみとし、前記支持腕をパネルに１個のみ固設し、これらに前記のロック手段を設けてもよい。
【実施例３】
【００５７】
図３は第３実施例を示す。
前記実施例は本発明をフラップテーブルに適用した例であるが、本発明は図１３に示すような、支脚３１に天板１を水平状態に固定したテーブルや、デスクや、カウンタなどの家具に適用してもよく、これによっても前記と同様の作用、効果を発揮できる。
【図面の簡単な説明】
【００５８】
【図１】本発明をフラップテーブルに適用した第１実施例を示すもので、パネルを幕板形態にした前面図。
【図２】図１の右側面図。
【図３】図２におけるパネルの取り付け部を示す拡大図。
【図４】図２の状態から天板を折り畳んだ側面図。
【図５】取付部材を示す斜視図。
【図６】図５の平断面図。
【図７】パネルと支持腕を示す側面図。
【図８】一方の支持腕を示す斜視図。
【図９】他方の支持腕を示す斜視図。
【図１０】支持腕と固定ピンとの関係を示す前方から見た断面図。
【図１１】本発明の第２実施例を示す取付部材の斜視図。
【図１２】図１１の右側の取付部材を示す断面斜視図。
【図１３】本発明の第３実施例を示す側面図。
【符号の説明】
【００５９】
１    天板
５，６    取付部材
７，１３    支軸
８    ロック手段である固定ピン
９，１４    支持腕
１０    パネル
１１    ロック手段である係止穴
１２ａ    誘導面
１５    付勢手段であるコイルスプリング
２１，２２    取付部材
２６    ロック手段である係止溝
２７，２８    支持腕
２９    付勢手段であるコイルスプリング
【図１】
2005144021.tif 000003
【図２】
2005144021.tif 000004
【図３】
2005144021.tif 000005
【図４】
2005144021.tif 000006
【図５】
2005144021.tif 000007
【図６】
2005144021.tif 000008
【図７】
2005144021.tif 000009
【図８】
2005144021.tif 000010
【図９】
2005144021.tif 000011
【図１０】
2005144021.tif 000012
【図１１】
2005144021.tif 000013
【図１２】
2005144021.tif 000014
【図１３】
2005144021.tif 000015